(57)【要約】【課題】道路側部法面の排水路の周辺のベルト状の張りコンクリートの代わりとなり、排水路内へ垂れ下がる雑草などの繁茂を防ぎ、道路脇の法面の景観を良好に保ち、さらに排水路の跳ね水による洗掘を直ちに外部から目視して判明でき、そこで災害の防止が容易であり、また洗掘による地盤の変化に追従できる高速道路の排水路周辺の防草及び洗掘防止用のシール方法を提供する。【解決手段】高速道路などの道路側部の法面１に設けた断面Ｕ字状の排水溝ブロック３を据えつけて排水路２とし、排水溝ブロック３の両側の周辺部８の地面１４の一定幅を不陸調整し、排水溝ブロック３の側壁４の上面５の内壁端６から排水溝ブロック３の周辺部８の不陸調整した一定幅の地面１４を防水シート９として塩化ビニールシート９’で被覆した。【選択図】        図１
2004339720.tif 000002
【特許請求の範囲】
【請求項１】
高速道路などの道路側部の法面に設けた断面Ｕ字状の排水溝ブロックを据えつけて排水路とし、排水溝ブロックの両側の周辺部の地面の一定幅を不陸調整し、排水溝ブロックの側壁の上面の内壁端から排水溝ブロックの周辺の不陸調整した一定幅の地面を防水シートで被覆したことを特徴とする高速道路などの道路側部の法面に設けた排水路の周辺部の防草及び洗掘防止用のシール方法。
【請求項２】
道路側部の法面に設けた排水路は、法面の傾斜方向に敷設された排水路であることを特徴とする請求項１に記載の高速道路などの道路側部の法面に設けた排水路の周辺部の防草及び洗掘防止用のシール方法。
【請求項３】
道路側部の法面に設けた排水路は、法面の傾斜方向を横切る方向に設けた小段部に道路と平行に敷設された排水路であることを特徴とする請求項１に記載の高速道路などの道路側部の法面に設けた排水路の周辺部の防草及び洗掘防止用のシール方法。
【請求項４】
排水溝ブロックの側壁の上面の内壁端から排水溝ブロックの両側の周辺部の不陸調整した一定幅の地面に対する防水シートによる被覆は、排水溝ブロックの側壁の上面の内壁端から側壁の上面の外壁端にフラットバーをアンカープラグで排水溝ブロックに固定し、フラットバーに溶剤を塗布して防水シートの一端側を溶着し、防水シートの他端側を複数本の離間配置した逆Ｕ字状のアンカーピンにより地面に押さえて固定することを特徴とする請求項１〜３のいずれか１項に記載の高速道路などの道路側部の法面に設けた排水路の周辺部の防草及び洗掘防止用のシール方法。
【請求項５】
排水溝ブロックの側壁の上面の内壁端から排水溝ブロックの両側の周辺部の不陸調整した一定幅の地面に対する防水シートによる被覆は、排水溝ブロックの側壁の内壁上端部にカーテンレールを取り付け、取り付けた該カーテンレールに防水シートの一端側を付着したカーテンレール挿入金具を挿入して固定し、防水シートの他端側を複数本の離間配置した逆Ｕ字状のアンカーピンにより地面に押さえて固定することを特徴とする請求項１〜３のいずれか１項に記載の高速道路などの道路側部の法面に設けた排水路の周辺部の防草及び洗掘防止用のシール方法。
【請求項６】
排水溝ブロックの側壁の上面の内壁端から排水溝ブロックの両側の周辺部の不陸調整した一定幅の地面に対する防水シートによる被覆は、予め防水シートの一端側を逆Ｕ字状の防水シート取付け鋼板の胴体部に付着し、該防水シート付着の防水シート取付け鋼板の逆Ｕ字状の足部を排水溝ブロックの側壁の上端から側壁の内壁面及び外壁面に嵌合固定し、防水シートの他端側を複数本の離間配置した逆Ｕ字状のアンカーピンにより地面に押さえて固定することを特徴とする請求項１〜３のいずれか１項に記載の高速道路などの道路側部の法面に設けた排水路の周辺部の防草及び洗掘防止用のシール方法。
【発明の詳細な説明】
【０００１】
【発明の属する技術分野】
高速道路の側溝に接続する道路側部の法面に設けた縦方向排水路あるいは道路側部の法面に形成の小段部に設けた横方向排水路に関する。
【０００２】
【従来の技術】
高速道路の側溝に接続する道路側部の下降法面に設けた縦方向の排水路あるいは道路側部の下降法面に道路と平行に延びる小段部に設けた横方向の小段排水路を設け、これらの排水路により高速道路における降雨の排水の便を図っている。これらの縦方向の排水路あるいは横方向の小段排水路では、排水路周辺の地面の土砂が排水路からの跳水により洗掘される結果、排水路が崩壊することがある。さらに、排水路周辺の地面に生い茂った雑草が排水路内へ垂れ込み、排水路を閉塞することがある。そこで、この跳水の洗掘による排水路の崩壊を防止する目的で、あるいは、排水路周辺に繁茂した草などが排水路内へ垂れ込むことを防止する目的で、従来からこれらの排水路の周辺の地面に５００〜７００ｍｍ幅で厚さ５０〜１００ｍｍの張りコンクリートからなるベルトを施工して下部の土壌をシールしている。
【０００３】
しかしながら、この高速道路側部から下降する法面の傾斜面において、排水路の周囲にベルト状に張りコンクリートを敷設することは容易でなく、さらに、ベルト状に張りコンクリートを敷設したとき、緑の草で覆われた法面の傾斜面内にベルト状に白い張りコンクリートが敷設されているので、法面の景観が悪化し、さらにベルト状の張りコンクリートの剛性が高いため、その下部の土壌が雨水等により洗掘されたとしても、外部から判明し難く、かつ、張りコンクリートは洗掘された地盤の変化に追従できず、このため時として排水路やベルト状の張りコンクリートが突然に崩壊することとなり、法面の大きな災害を起こしかねないなどの種々の問題があった。
【０００４】
【発明が解決しようとする課題】
本発明が解決しようとする課題は、従来の上記した種々の問題を解決することであり、道路側部法面の排水路の周辺のベルト状の張りコンクリートの代わりとなり、かつ排水路内へ垂れ下がる雑草などの繁茂を防ぎ、道路脇の法面の景観を良好に保ち、さらに排水路の跳ね水による洗掘を直ちに外部から目視して判明でき、そこで災害の防止が容易であり、また洗掘による地盤の変化に追従できる排水路周辺のシール手段を提供することである。
【０００５】
【課題を解決するための手段】
上記の課題を解決するための本発明の手段は、請求項１の発明では、高速道路などの道路側部の法面１に設けた断面Ｕ字状の排水溝ブロック３を据えつけて排水路２とし、排水溝ブロック３の両側の周辺部８の地面１４の一定幅を不陸調整し、排水溝ブロック３の側壁４の上面５の内壁端６から排水溝ブロック３の周辺部８の不陸調整した一定幅の地面１４を防水シート９で被覆したことを特徴とする高速道路などの道路側部の法面１に設けた排水路２の周辺部８の防草及び洗掘防止用のシール方法である。
【０００６】
請求項２の発明では、道路側部の法面１に設けた排水路２は、法面１の傾斜方向に敷設された排水路２であることを特徴とする請求項１の手段の高速道路などの道路側部の法面１に設けた排水路２の周辺部４の防草及び洗掘防止用のシール方法である。
【０００７】
請求項３の発明では、道路側部の法面１に設けた排水路２は、法面１の傾斜方向を横切る方向に設けた小段部１２に道路と平行に敷設された排水路２であることを特徴とする請求項１の手段の高速道路などの道路側部の法面１に設けた排水路２の周辺部７の防草及び洗掘防止用のシール方法である。
【０００８】
請求項４の発明では、排水溝ブロック３の側壁４の上面５の内壁端６から排水溝ブロック３の両側の周辺部８の不陸調整した一定幅の地面１４に対する防水シート９による被覆は、排水溝ブロック３の側壁４の上面５の内壁端６から側壁４の上面５の外壁端７にフラットバー１０をアンカーボルトプラグ１１で排水溝ブロック３に固定し、フラットバー１０に溶剤を塗布して防水シート９の一端側を溶着し、防水シート９の他端側を複数本の離間配置した逆Ｕ字状のアンカーピン１３により地面１４に押さえて固定することを特徴とする請求項１〜３のいずれか１項の手段の高速道路などの道路側部の法面に設けた排水路の周辺部の防草及び洗掘防止用のシール方法である。
【０００９】
請求項５の発明では、排水溝ブロックの側壁の上面の内壁端から排水溝ブロックの両側の周辺部の不陸調整した一定幅の地面に対する防水シートによる被覆は、排水溝ブロックの側壁の内壁上端部にカーテンレールを取り付け、取り付けた該カーテンレールに防水シートの一端側を付着したカーテンレール挿入金具を挿入して固定し、防水シートの他端側を複数本の離間配置した逆Ｕ字状のアンカーピンにより地面に押さえて固定することを特徴とする請求項１〜３のいずれか１項の手段の高速道路などの道路側部の法面に設けた排水路の周辺部の防草及び洗掘防止用のシール方法である。
【００１０】
請求項６の発明では、排水溝ブロックの側壁の上面の内壁端から排水溝ブロックの両側の周辺部の不陸調整した一定幅の地面に対する防水シートによる被覆は、予め防水シートの一端側を逆Ｕ字状の防水シート取付け鋼板の胴体部に付着し、該防水シート付着の防水シート取付け鋼板の逆Ｕ字状の足部を排水溝ブロックの側壁の上端から側壁の内壁面及び外壁面に嵌合固定し、防水シートの他端側を複数本の離間配置した逆Ｕ字状のアンカーピンにより地面に押さえて固定することを特徴とする請求項１〜３のいずれか１項の手段の高速道路などの道路側部の法面に設けた排水路の周辺部の防草及び洗掘防止用のシール方法である。
【００１１】
【発明の実施の形態】
本発明の実施の形態を図面を参照して説明する。図１は、本発明の一実施の形態である法面に縦方向に設けた排水路の断面を示す図である。図２は、図１の排水路の上面から見た模式図である。図３は、本発明の他の実施の形態である小段部に横方向に設けた排水路を一部断面で示す模式図である。図４は、図３の排水路の断面を示す図である。図５は、本発明における排水溝ブロックの側壁上に敷いた防水シートとして塩化ビニールシートからなる防草及び洗掘防止用シートの取付け部を示す拡大図である。図６は、本発明の地中に打ち込んだ逆Ｕ字状のアンカーピンの配列を模式的に示す図である。図７は、本発明の他の実施の形態の防草及び洗掘防止用の防水シートの取付けを示す模式図で、（ａ）はカーテンレールの部分の拡大図で、（ｂ）は排水溝ブロックの側壁への取付け構造を示す図である。図８は、本発明のさらに他の実施の形態の防草及び洗掘防止用の防水シートの取付けを示す模式図で、（ａ）は左右の防水シート取付け鋼板と塩化ビニールシートを示し、（ｂ）は排水溝ブロックの側壁への取付け構造を示す図である。
【００１２】
先ず、１番目の実施の形態は、高速道路の道路脇に敷設の側溝から道路側部を下降する法面１に沿って上方から下方に排水するために設置する排水路２用の断面Ｕ字状の排水溝ブロック３の周辺部８に雑草が繁茂することを防ぐため及び排水路２の跳水による周辺部の洗掘を防止するために防草及び洗掘防止用シールを実施する方法である。この場合、図１に示すように法面１の上方から下方に断面Ｕ字状の排水溝ブロック３を設置するための幅と深さの縦方向の溝孔を掘削する。掘削した縦方向の溝孔にプレキャストコンクリート製の断面Ｕ字状の排水溝ブロック３を慣用手段により所定の吊り金具で吊って据えつける。この場合、断面Ｕ字状の排水溝ブロック３の端部に幅広に形成の接続用のソケット１５を法面勾配の高い側に向けて設置する。次いで、法面に設置した排水溝ブロック３の左右側部の法面１の地面１４上に防水シート９として厚さ１．５ｍｍの塩化ビニールシート９’を敷くものとする。この場合、それぞれの側部の塩化ビニールシート９’の幅は、例えば法面１に縦方向の排水路２を設けるとき、排水溝ブロック３に接する両側にそれぞれ７６０ｍｍ幅の塩化ビニールシート９’で覆い防草及び洗掘防止用のシールとする。
【００１３】
防水シート９として塩化ビニールシート９’による防草及び洗掘防止用のシールを行う方法は、上記のように排水溝ブロック３を設置した後、排水溝ブロック３の側壁４の上面５を清掃した後、その両側の周辺部８の塩化ビニールシート９’で覆う地面１４を不陸調整をして整地する。次いで、排水溝ブロック３の側壁４の上面５に塩化ビニール被覆鋼製プレートからなるフラットバー１０の塩化ビニール被覆層１７を上面として載置し、さらに径６ｍｍで長さ２５ｍｍのアンカーボルトプラグ１１をフラットバー１０の上から排水溝ブロック３の側壁４の上面５に穿孔した所定位置のアンカー穴１６に打ち込み、フラットバー１０を排水溝ブロック３に固定する。さらに、フラットバー１０を取り付けた排水溝ブロック３の側壁４の上面５の内壁端６に塩化ビニールシート９’の端部を載置し、さらに塩化ビニールシート９’の他端を不陸調整した法面１の地面１４上に延ばす。次いで、フラットバー１０の塩化ビニール被覆層１７の上に塩ビ溶剤を塗布して塩化ビニールシート９’の端部をフラットバー１０の上面に溶着する。一方、塩化ビニールシート９’の他端は幅１５０ｍｍで足長さ２５０ｍｍの逆Ｕ字状の径９ｍｍの溶融亜鉛メッキした鋼鉄製のアンカーピン１３の複数個で等間隔に押さえて塩化ビニールシート９’の他端をアンカーピン１３の足に巻き込みながら打ち込んで法面１の地中に係止する。
【００１４】
次に、他の実施の形態について説明する。高速道路の側部の下降する法面１の途中に道路方向に水平に延びる小段部１２を形成する。この小段部１２に道路方向の排水路２である断面Ｕ字状の排水溝ブロック３を設置し、高速道路の側溝からの排水をこの小段部１２に配設した排水溝ブロック３によりさらに排水する場合の防草及び洗掘防止用のシール方法である。すなわち、この実施の形態は、この小段部１２に設けた排水路２である断面Ｕ字状の排水溝ブロック３の周辺部８を防草するための防草及び洗掘防止用のシール方法である。
【００１５】
このシール方法について説明すると、図３に示すように、道路側部の法面１に道路と平行に設けられた小段部１２に断面Ｕ字状の排水溝ブロック３を設置するもので、この排水溝ブロック３を設置するための幅と深さの溝孔を小段部１２に掘削する。掘削した溝孔にプレキャストコンクリート製の断面Ｕ字状の排水溝ブロック３を慣用手段により所定の吊り金具で吊って据えつける。この場合、排水溝ブロック３の端部に幅広に形成の接続用のソケット１５は小段部１２の勾配の高いほうに向けて設置するものとする。次いで、小段部１２に設置した排水溝ブロック３の左右の両側の周辺部８の地面上に厚さ１．５ｍｍの塩化ビニールシート９’を敷く。この場合、それぞれの周辺部８の塩化ビニールシート９’の幅は、例えば法面１の高所側に続く小段部１２とそれに続く法面１に敷くときは、排水溝ブロック３に隣接する小段部１２における３００ｍｍ幅のものとさらにそれに続く法面１の高所側の勾配部分の３００ｍｍ幅のものとの計６００ｍｍ幅の塩化ビニールシート９’で被覆する。他の側の低い方の法面に続く小段部１２に敷くときは７６０ｍｍ幅の塩化ビニールシート９’で被覆し、それぞれを防草及び洗掘防止用のシールとする。
【００１６】
塩化ビニールシート９’からなる防草及び洗掘防止用のシールを敷設する方法は、上記の第１の実施の形態と同様である。すなわち、断面Ｕ字状の排水溝ブロック３を小段部１２に掘った溝中に設置した後、排水溝ブロック３の側壁４の上面５を清掃した後、その両側の周辺部８の塩化ビニールシート９’で覆う部分の地面を不陸調整して整形する。次いで、排水溝ブロック３の側壁４の上面５に塩化ビニール被覆鋼製プレートからなるフラットバー１０の塩化ビニール面側を上にして載置する。さらに径６ｍｍで長さ２５ｍｍのアンカーボルトプラグ１１をフラットバー１０の上から排水溝ブロック３の側壁４の上面５から穿孔されている所定位置のアンカー孔１６に打ち込み、フラットバー１０を排水溝ブロック３に固定する。さらに、排水溝ブロック３の側壁４の上面５に取り付けたフラットバー１０上面の内端６に塩化ビニールシート９の端部を合わせて載置し、さらに塩化ビニールシート９’の他端部を不陸調整した法面１の地面１４上に延ばす。次いで、フラットバー１０上面に塩ビの溶剤を塗布して、塩化ビニールシート９’の端部をフラットバー１０の塩化ビニール被覆層１７に溶着する。一方、塩化ビニールシート９’の他端はその部分の地面１４に設けた溝孔に幅１５０ｍｍで足長さ２５０ｍｍの逆Ｕ字状の径９ｍｍの溶融亜鉛メッキ鋼鉄製の複数個のアンカーピン１３で等間隔に地中に巻き込みながら打ち込み係止する。この場合、排水溝方向で隣接する塩化ビニールシート９’同士は１００ｍｍの重ね合わせをする。
【００１７】
防水シート９の取り付け方法における他の実施の形態である請求項５に係る発明では、排水溝ブロック３の側壁４の上面５の内壁端６から排水溝ブロック３の両側の周辺部８の不陸調整した一定幅の地面に対する防水シート９による被覆は、図７に示すように、排水溝ブロック３の側壁４の内壁上端部６’に設けたインサート穴２０に市販のシングルブラケットのカーテンレール１８をその取付け金具２７を介して取付けボルト１９により取り付ける。取り付けたこれらのカーテンレール１８に防水シート９である塩化ビニールシート９’の一端側を溶着剤により付着したカーテンレール挿入金具２１を挿入して固定する。さらに塩化ビニールシート９’の他端部を不陸調整した法面１の地面１４上に延ばす。この伸ばした塩化ビニールシート９’の他端は、上記の実施の形態と同様に、その部分の地面１４に設けた溝孔に幅１５０ｍｍで足長さ２５０ｍｍの逆Ｕ字状の径９ｍｍの溶融亜鉛メッキ鋼鉄製の複数個のアンカーピン１３で等間隔に地中に巻き込みながら打ち込み係止する。この場合、排水溝方向で隣接する塩化ビニールシート９’同士は１００ｍｍの重ね合わせをする。
【００１８】
防水シート９の取付け方法におけるさらに他の実施の形態である請求項６に係る発明では、排水溝ブロック３の側壁４の上面５の内壁端６から排水溝ブロック３の両側の周辺部８の不陸調整した一定幅の地面に対する防水シート９による被覆は、図８に示すように、予め防水シート９としての塩化ビニールシート９’の一端側を逆Ｕ字状の防水シート取付け鋼板２２の胴体部２３に塩ビ溶剤により溶着し、塩化ビニールシート９’を接着の防水シート取付け鋼板２２の逆Ｕ字状の足部２４を排水溝ブロック３の側壁４の上端から内壁面２５及び外壁面２６に鋼板の弾性により嵌合固定する。さらに塩化ビニールシート９’の他端部を不陸調整した法面１の地面１４上に延ばす。この伸ばした塩化ビニールシート９’の他端は、上記の実施の形態と同様に、その部分の地面１４に設けた溝孔に幅１５０ｍｍで足長さ２５０ｍｍの逆Ｕ字状の径９ｍｍの溶融亜鉛メッキ鋼鉄製の複数個のアンカーピン１３で等間隔に地中に巻き込みながら打ち込み係止する。この場合、排水溝方向で隣接する塩化ビニールシート９’同士は１００ｍｍの重ね合わせをする。
【００１９】
上記の実施の形態では、防水シート９として塩化ビニールシートを使用している。しかし、本発明に適用可能な防水シート９としては、塩化ビニールシート９’に限られるものでなく、耐候性や非透水性であるプラスチックフィルムやゴムフィルムであれば良い。例えば、ポリプロピレンシートその他のポリオレフィン系シートなど種々のプラスチックフィルムやあるいはゴム引きシートなどが適用可能である。
【００２０】
【発明の効果】
以上に説明したように、本発明は高速道路などに降った雨などを排水する排水路の周辺部に雑草が繁茂することを防止するためのシールにおいて、跳ね水によりシールの下面が洗掘された際に、洗掘が外部から容易に判明するので災害の予防が容易であり、また洗掘に地面が追従して沈下することで、洗掘による突然の崩壊を防止し、かつ、排水路の周辺部の雑草の繁茂を防止することができ、さらに排水路周辺の景観を損なうことなく、容易に防草及び洗掘防止用のシールが施工できるなどの優れた効果を有するものである。
【図面の簡単な説明】
【図１】本発明の一実施の形態である法面に縦方向に設けた排水路の断面を示す図である。
【図２】図１の排水路の上面から見た模式図である。
【図３】本発明の他の実施の形態である小段部に横方向に設けた排水路を一部断面で示す模式図である。
【図４】図３の排水路の断面を示す図である。
【図５】本発明における排水溝ブロックの側壁上に敷いた塩化ビニールシートの取付け部を示す拡大図である。
【図６】本発明の地中に打ち込んだ逆Ｕ字状のアンカーピンの配列を模式的に示す図である。
【図７】本発明の他の実施の形態の防草及び洗掘防止用の防水シートの取付けを示す模式図である。
【図８】本発明のさらに他の実施の形態の防草及び洗掘防止用の防水シートの取付けを示す模式図である。
【符号の説明】
１  法面
２  排水路
３  排水溝ブロック
４  側壁
５  上面
６  内壁端
７  外壁端
８  周辺部
９  防水シート
９’  塩化ビニールシート
１０  フラットバー
１１  アンカーボルトプラグ
１２  小段部
１３  アンカーピン
１４  地面
１５  ソケット
１６  アンカー穴
１７  塩化ビニール被覆層
１８  カーテンレール
１９  取付けボルト
２０  インサート穴
２１  カーテンレール挿入金具
２２  防水シート取付け鋼板
２３  胴体部
２４  足部
２５  内壁面
２６  外壁面
２７  取付け金具
【図１】
2004339720.tif 000003
【図２】
2004339720.tif 000004
【図３】
2004339720.tif 000005
【図４】
2004339720.tif 000006
【図５】
2004339720.tif 000007
【図６】
2004339720.tif 000008
【図７】
2004339720.tif 000009
【図８】
2004339720.tif 000010